(57)【要約】【課題】従来の様に定期券などを通じて利用者に応じた広告の情報を提供するのみでは、利用者となる消費者の購買行動の動機とはなり難かった。そして、従来の様に、消費者に便宜を供与するクーポン券などを提供することは消費者の購買行動の動機となり得たが、クーポン券などの広告媒体を消費者に手渡すことは、人件費と手間がかかった。また、クーポン券を集めた棚置きのクーポン特集雑誌などにクーポン券を掲載すると、その雑誌への掲載費用が高額になった。【解決手段】そこで、本願に係る自動改札処理装置は、利用者にクーポン券などの広告媒体を簡便に的確に消費者に提供する。本願に係る自動改札処理装置は、宣伝広告情報蓄積部と利用者属性情報取得部と宣伝広告情報選択部とチラシ媒体排出部とを有する。【選択図】図１
2004318310.tif 000002
【特許請求の範囲】
【請求項１】
宣伝広告情報を蓄積する宣伝広告情報蓄積部と、
検札のために読み取られるチケットから利用者の属性情報を取得する利用者属性情報取得部と、
前記利用者属性情報取得部で取得した利用者の属性情報に基づいて利用者に配布すべき宣伝広告情報を前記宣伝広告情報蓄積部から選択する宣伝広告情報選択部と、
前記宣伝広告情報選択部で選択された宣伝広告情報を記録した記録媒体であるチラシ媒体を利用者が手で取り持ち去りが可能なように排出するチラシ媒体排出部と、
を有する自動改札処理装置。
【請求項２】
前記チラシ媒体排出部は、チラシ媒体を排出するための口である排出手段を有し、
前記排出手段は、前記検札のために前記チケットから情報を取得するためのチケットインターフェイスよりも改札出口側に設けられている請求項１に記載の自動改札処理装置。
【請求項３】
現在時刻を取得する現在時刻取得部をさらに有し、
前記宣伝広告情報選択部は、前記現在時刻取得部が取得した現在時刻に基づいて前記選択をおこなう請求項１又は、２に記載の自動改札処理装置。
【請求項４】
前記排出手段から排出されたチラシが前記利用者によって持ち去られたか持ち去られなかったかを検知するチラシ持去検知部を有し、
前記チラシ持去検知部でチラシが持去られなかったことが検知された場合に前記チラシを回収するチラシ回収部を有する
請求項２に記載の自動改札処理装置
【請求項５】
前記チラシ持去検知部は前記検知した結果を保持する検知結果保持手段と、
前記検知した結果を通信回線を利用して送信する検知結果送信手段とを有する請求項４に記載の自動改札処理装置
【請求項６】
宣伝広告情報を印刷するための宣伝広告情報印刷部と、
前記印刷のための用紙を保持する用紙保持部とを有し、
前記宣伝広告情報印刷部は、前記宣伝広告情報選択部により選択された宣伝広告情報を印刷する請求項１から５のいずれか一に記載の自動改札処理装置。
【請求項７】
検札のために読み取られるチケットを挿入するチケット挿入口と、
前記チケット挿入口から挿入されたチケットを排出するチケット排出口と、をさらに有し、
前記排出手段は、前記チケット排出口と兼用されており、前記排出口から排出されるチラシは、前記チケット排出口から排出されるチケットと重なって排出される請求項２又は４又は５に記載の自動改札処理装置。
【請求項８】
宣伝広告情報を取得する宣伝広告情報取得部をさらに有し、
前記宣伝広告情報取得部で取得された宣伝広告情報は、前記宣伝広告情報蓄積部に蓄積される請求項１から７のいずれか一に記載の自動改札処理装置。
【請求項９】
利用者をあて先とした電子メールを取得する電子メール取得部を有し、
前記利用者属性情報取得部で取得される利用者属性情報には、利用者の識別情報である利用者識別情報が含まれ、その利用者識別情報と、前記電子メール取得部が取得した利用者の識別情報であるメールあて先利用者識別情報とが一致した場合には、
前記宣伝広告情報印刷部は、前記チラシに前記電子メールの内容を印刷する請求項６に記載の自動改札処理装置。
【請求項１０】
前記利用者の属性情報が、利用者の入出場駅の情報、途中下車駅の情報、運賃の情報、有効期限の情報、入出場の時間の情報、途中下車の時間の情報、発券時間の情報、発券場所の情報、利用する交通手段の便の情報、前記交通手段の便の座席の情報、利用者の氏名の情報、利用者の性別の情報、利用者の年齢の情報、利用者の身体の情報、利用者の趣向に関する情報のいずれか一以上である請求項１から９いずれか一に記載の自動改札処理装置
【発明の詳細な説明】
【０００１】
【発明の属する技術分野】
本発明は、自動改札処理装置を介して広告を利用者に提供する装置に関する。
【０００２】
【従来の技術】
従来の自動改札処理装置を利用した広告を提供する技術として下記公知技術がある。
【特許文献１】
特開２００２−２０３２５８号公報（第２頁〜第８頁、第１図〜第６図）
【０００３】
【発明が解決しようとする課題】
しかし、上記の文献の様に定期券などを通じて利用者に応じた広告の情報を提供するのみでは、利用者となる消費者の購買行動の動機とはなり難かった。
【０００４】
そして、従来の様に、消費者に便宜を供与するクーポン券などを提供することは消費者の購買行動の動機となり得たが、クーポン券などの広告媒体を消費者に手渡すことは、人件費と手間がかかった。また、クーポン券を集めた棚置きのクーポン特集雑誌などにクーポン券を掲載すると、その雑誌への掲載費用が高額になった。
【０００５】
【課題を解決するための手段】
そこで、本願に係る自動改札処理装置は、利用者にクーポン券などの広告媒体を簡便に的確に提供する。本願に係る自動改札処理装置は、宣伝広告情報蓄積部と利用者属性情報取得部と宣伝広告情報選択部とチラシ媒体排出部とを有する。
【０００６】
【発明の実施の形態】
以下、本発明の実施の形態を図示例と共に説明する。
本発明の実施形態１は主に請求項１などに対応する。
本発明の実施形態２は主に請求項２などに対応する。
本発明の実施形態３は主に請求項３などに対応する。
本発明の実施形態４は主に請求項４などに対応する。
本発明の実施形態５は主に請求項５などに対応する。
本発明の実施形態６は主に請求項６などに対応する。
本発明の実施形態７は主に請求項７などに対応する。
本発明の実施形態８は主に請求項８などに対応する。
本発明の実施形態９は主に請求項９などに対応する。
本発明の実施形態１０は主に請求項１０などに対応する。
【０００７】
＜実施形態１＞
【０００８】
＜概要＞
【０００９】
図１は本実施形態の自動改札処理装置の概念を示す図の一例である。ある地方から出張で東京へ電車で来た会社員が本実施形態の自動改札処理装置を使用する際を利用して本実施形態の自動改札処理装置の概念を説明する。その人は特急電車を降り、そして、駅から出場するために駅改札口に設置している自動改札処理装置に特急券と乗車券を投入する。すると、特急券と乗車券は自動改札処理装置に回収される。そして、正規区間を乗車していていたため、ゲートが開き、自動改札処理装置を通り抜けようとする。すると、チラシ媒体が手で持ち去りが可能なように自動改札処理装置より排出された。そして、そのチラシ媒体に、「お得なお土産の宣伝広告を店の地図と共に配布しています」、との表示があったので、その人はお土産を買う店を知らなかったので、チラシ媒体を手に取った。ある人は家族へのお土産を買おうと思っていたので、このチラシ媒体を利用してお土産を簡単に買うことができた。
【００１０】
また、違う人が本実施形態の自動改札処理装置を通過しようとする。その人は、職場の最寄駅で駅から出場しようとした人である。その人は定期券を自動改札処理装置に投入し、自動改札処理装置を通り抜けようとする。その人は毎日その駅を利用しているため、自動改札処理装置が排出するチラシ媒体を常にとることはない。しかし、チラシ媒体に、駅前の家電量販店の特売情報のの表示があったため、興味を持ち、その日はチラシ媒体を手に取った。そのチラシ媒体には本日のみの安売りの携帯電話の情報が記載されていた。その人はチラシ媒体を利用して携帯電話を買うことにした。
【００１１】
＜構成＞
【００１２】
図２は実施形態１の自動改札処理装置のブロック図の一例である。実施形態１の自動改札処理装置０２００は、宣伝広告情報蓄積部０２０１と利用者属性情報取得部０２０２と宣伝広告情報選択部０２０３とチラシ媒体排出部０２０４とを有する。
【００１３】
「宣伝広告情報蓄積部」は、宣伝広告情報を蓄積する。「宣伝広告情報」とは、商品又はサービス又は情報などを消費者に告知または提供する情報である。たとえば、宣伝広告情報は、チラシや、クーポン券や、カタログなどに記載されている情報である。「蓄積」とは、宣伝広告情報を自動改札処理装置がすぐに利用できるように保持することをいう。
【００１４】
「利用者属性情報取得部」は、検札のために読み取られるチケットから利用者の属性情報を取得する。「利用者」とは、電車や飛行機やバスや映画館や遊戯施設などに設置されている自動改札処理装置を利用する人をいう。「検札のために読み取られるチケット」とは、乗車運賃が正規料金が支払われているかを確かめるために乗車駅の情報と運賃の情報などを記録しているチケットのことである。たとえば、片道切符や往復切符や定期券などである。「属性情報」とは、自動改札処理装置を利用する人を区別又は分類するための情報である。たとえば、氏名や性別や年齢や住所の情報などである。そして、利用者属性情報取得部は、非接触ＩＣカードから利用者の属性情報を取得してもよいし、磁気情報が記録された紙又はプラスティックなどから利用者の属性情報を取得してもよい。「取得」とは、自動改札処理装置が利用者の属性情報を前記チケットから取得することをいう。また、自動改札処理装置は利用者の属性情報のうち利用者を識別する情報のみを取得し、利用者の他の属性情報は自動改札処理装置内外から取得してもよい。
【００１５】
「宣伝広告情報選択部」は、前記利用者属性情報取得部で取得した利用者の属性情報に基づいて利用者に配布すべき宣伝広告情報を前記宣伝広告情報蓄積部から選択する。「基づいて」とは、宣伝広告情報を選択する際に、利用者の属性情報を選択の基準とすることをいう。「利用者に配布すべき宣伝広告情報」とは、利用者の属性情報に基づいた前記利用者の購買活動の動機となるとされる宣伝広告情報である。たとえば、性別と年齢に応じた宣伝広告情報である。「選択」とは、複数の宣伝広告情報から一以上の利用者属性に応じた情報を選択することである。たとえば、男性と女性で、年齢を１５歳から２４歳、２５歳から３４歳、３５歳から４４歳での６種類で区分けする。そして、たとえば、前記利用者属性が購買活動の盛んな女性の１５歳から２４歳までの際に化粧品の宣伝広告情報が選択されることで、化粧品の宣伝広告情報を広告主が求める消費者に対してのみチラシ媒体に記録して配布することができる。
【００１６】
「チラシ媒体排出部」は、前記宣伝広告情報選択部で選択された宣伝広告情報を記録した記録媒体であるチラシ媒体を利用者が手で持ち去りが可能なように排出する。「選択された宣伝広告情報を記録した記録媒体であるチラシ媒体」とは、利用者の属性情報に基づいて選択された宣伝広告情報が印字され又は表示されているチラシ媒体である。たとえば、選択された宣伝広告情報が予め印刷されている状態のチラシ媒体であってもよいし、選択された宣伝広告情報が排出される際に印刷されるチラシ媒体であってもよい。「手で取り持ち去りが可能なように排出」とは、利用者が通常の歩行をしている態勢において、利用者の手に取ることができる高さや角度などでチラシ媒体を自動改札処理装置から排出することをいう。たとえば、地上８０ＣＭから１Ｍの間の高さで、利用者の右手の高さに合わせて、利用者が手に触れるようにチラシ媒体を自動改札処理装置が排出してもよい。また、利用者の手の高さに応じて、チラシ媒体を排出する高さを自動改札処理装置が設定してもよい。そして、たとえば、利用者が早く歩いている際には、利用者の手にあたり利用者が手に怪我をしないように、チラシ媒体を排出する角度をチラシ媒体と自動改札処理装置とが平行に近い角度に自動改札処理装置が設定し、そして、利用者が遅く歩いている際には、利用者がチラシ媒体が見やすくなるように、チラシ媒体を排出する角度をチラシ媒体と自動改札処理装置とが直角に近い角度になるように自動改札処理装置が設定してもよい。
【００１７】
図３は本実施形態の自動改札処理装置の実施の一例の図を示す。利用者属性情報取得部は属性情報を取得する。取得された属性情報は性別と年齢である。宣伝広告情報蓄積部では、男性で年齢を１５歳から２４歳、２５歳から３４歳、３５歳から４４歳、女性で年齢が１５歳から２４歳、２５歳から３４歳、３５歳から４４歳、その他の７種類のカテゴリーの分類で宣伝広告情報が区分けされて保持されている。そして、宣伝広告情報選択部は属性情報のうち、性別と年齢の属性情報を取得する。そして、性別が女性で、年齢が２８歳であるとすると、女性で年齢が２５歳から３４歳のカテゴリーに分類されている化粧品の宣伝広告情報が宣伝広告情報選択部に選択される。そして、チラシ媒体排出部はその選択された化粧品の宣伝広告情報をチラシ媒体に記録する。そして、チラシ媒体排出部はそのチラシ媒体をある人が手に取りやすい位置である手の高さのあたりに排出する。
＜処理の流れ＞
【００１８】
図４は本実施形態の自動改札処理装置のフロー図の一例である。本実施形態の自動改札処理装置は以下のステップを有してもよい。まず、チケットから利用者の属性情報を取得する（Ｓ０４０１）。そして、利用者の属性情報に基づいて宣伝広告情報を選択する（Ｓ０４０２）。そして、選択された宣伝広告情報を取得する（Ｓ０４０３）。そして、宣伝広告情報を記録した記録媒体であるチラシ媒体を利用者が手で取り持ち去りが可能なように排出する（Ｓ０４０４）。
【００１９】
＜効果＞
【００２０】
本実施形態の自動改札処理装置を利用することで、利用者属性に応じた宣伝広告情報を利用者に簡便に的確に提供することができる。
【００２１】
＜実施形態１以上＞
【００２２】
＜実施形態２＞
【００２３】
＜概要＞
【００２４】
実施形態２の自動改札処理装置の前記チラシ媒体排出部は、チラシ媒体を排出するための口である排出手段を有し、前記排出手段は、前記検札のために前記チケットから情報を取得するためのチケットインターフェイスよりも改札出口側に設けられていることを特徴とする。本実施形態の自動改札処理装置を利用することで、利用者はチケットを手に取り、その後にチラシ媒体を手にとることが出来る。たとえば、利用者は駅に入場する際に自動改札処理装置にチケットを挿入し、チケットを受け取った後に、チラシ媒体を排出手段より受け取ることができる。
【００２５】
＜構成＞
【００２６】
図５は実施形態２の機能ブロックの図の一例である。実施形態２の自動改札処理装置０５００は、宣伝広告情報蓄積部０５０１と利用者属性情報取得部０５０２と宣伝広告情報選択部０５０３とチラシ媒体排出部０５０４とを有する。これらは従前の実施形態と同様の内容であるので説明を省略する。
【００２７】
そして、本実施形態の自動改札処理装置０５００の前記チラシ媒体排出部０５０４は、チラシ媒体を排出するための口である排出手段０５０５を有し、前記排出手段０５０５は、前記検札のために前記チケットから情報を取得するためのチケットインターフェイスよりも改札出口側に設けられている。「排出手段」とは、自動改札処理装置からチラシ媒体の一部分を排出するための口である。たとえば、前記排出手段をチラシ媒体の大部分を自動改札処理装置から外に排出し、残り部分は自動改札処理装置内で保持している。そして、利用者がチラシ媒体を手に取ると、チラシ媒体の全体が自動改札処理装置より排出される。「チケットインターフェース」とは、利用者が前記チケットを挿入する口や非接触ＩＣカードを触れさせる箇所などであり、利用者の属性情報を取得する自動改札処理装置の構成の一部をいう。また、自動改札処理装置には、挿入されたチケットを排出する口が備えられていてもよい。
【００２８】
「改札出口側」とは、利用者が駅へ入場する際には駅の構内側であり、利用者が駅から出場する際には、駅の外側をいう。自動改札処理装置が入場と出場が兼用されている際には、自動改札処理装置の両側に二つの排出手段が設けられていてもよい。
図６は自動改札処理装置０６００のチラシ媒体排出部の一例を示す。
そして、前記チケットを挿入する口０６０１とチケットを排出する口０６０２が自動改札処理装置に備えられていた場合、前記排出手段０６０３はチケットを挿入する口０６０１より改札出口側であってもよい。その際に、前記排出手段０６０３がチケットを排出する口０６０２より利用者に手前側であっても後方側であってもよい。また、前記チケットを排出する口０６０２の手前側０６０３と後方側０６０４の双方に前記排出手段が複数個設けられていてもよい。
そして、自動改札処理装置がチケットの改札の処理の時間を生じさせて利用者に待ち時間を生じさせる場合は、利用者を苛立たせないようにするために前記チケットを排出する口０６０２の利用者に手前側に備えられた前記排出手段０６０３から前記チラシ媒体を排出し、改札の処理の待ち時間の間に利用者にチラシ媒体を閲覧してもらう。そして、その後にチケットを排出する口からチケットを利用者が受け取るようにする（図６中１）。
また、自動改札処理装置０６００がチケットの改札の処理の時間をあまり生じさせず利用者に待ち時間が生じさせない場合は、前記チケットを排出する口０６０２の後方側に備えられた前記排出手段０６０４からチラシ媒体を排出する。そして、利用者がチケットをチケットを排出する口０６０１から受け取った後に、チラシ媒体を手にとるようにする（図６中２）。このようにチケットの処理に要する時間に応じてチラシ媒体が排出される前記排出手段が選択される。つまり自動改札処理装置が、利用者が先にチラシを手に取り後にチケットを手に取るか、もしくは、利用者が先にチケットを手に取り後にチラシを手に取るかを選択するようになっていてもよい。
【００２９】
「設けられている」とは、自動改札処理装置の排出手段０５０５が前記検札のために前記チケットから情報を取得するためのチケットインターフェイスよりも改札出口側に設置されていることをいう。
【００３０】
図７は本実施形態の自動改札処理装置の実施の一例の図を示す。チケットインターフェースの一部となっている利用者属性情報取得部は、性別が男性で年齢が３０歳であるという属性情報を取得する。そして、宣伝広告情報選択部は、宣伝広告情報蓄積部から２５歳から３４歳の男性用に保持されている缶コーヒの宣伝広告情報を選択する。そして、チラシ媒体排出部はその缶コーヒの宣伝広告情報をチラシ媒体に記録し、チケットインターフェースより２〜３歩進んだ箇所に設けられた排出手段から利用者が手で持ち去りが可能なように自動改札処理装置から排出する。このように本実施形態の自動改札処理装置を利用することで、利用者にチラシ媒体をより手にとってもらえるようになる。
【００３１】
＜処理の流れ＞
【００３２】
図８は本実施形態の自動改札処理装置のフロー図の一例である。本実施形態の自動改札処理装置は以下のステップを有してもよい。まず、チケットから利用者の属性情報を取得する（ステップＳ０８０１）。そして、利用者の属性情報に基づいて宣伝広告情報を選択する（ステップＳ０８０２）。そして、選択された宣伝広告情報を取得する（ステップＳ０８０３）。そして、宣伝広告情報を記録した記録媒体であるチラシ媒体をチケットインターフェースよりも改札出口側に設けられている排出手段に利用者が手で取り持ち去りが可能なように排出する（ステップＳ０８０４）。
【００３３】
＜効果＞
【００３４】
本実施形態の自動改札処理装置を利用することで、利用者は定期券などのチケットを衣服に収納した後に空いた手でチラシ媒体を手に取ることができるため、利用者がチラシ媒体を持去り易くなる。
【００３５】
＜実施形態２以上＞
【００３６】
＜実施形態３＞
【００３７】
＜概要＞
【００３８】
実施形態３の自動改札処理装置は、現在時刻を取得する現在時刻取得部をさらに有し、実施形態１に記載の宣伝広告情報選択部は、現在時刻取得部が取得した現在時刻に基づいて前記選択を行うことを特徴とする。本実施形態の自動改札処理装置を利用することで、時間帯により駅を利用する人々が異なることを利用して、自動改札処理装置は利用者が手にとってくれるチラシ媒体をより的確に選択することができる。たとえば、朝の通勤や通学の時間帯には、未成年には予備校や塾のチラシ媒体を配布し、成人には商品案内を記載したチラシ媒体を配布し、昼の女性には主婦向けのスーパマーケットの特売情報を記載したチラシ媒体を配布し、夜の成人には飲食店のクーポン券を記載したチラシ媒体を配布する。このように、自動改札処理装置は現在時刻に応じた宣伝広告情報の選択ができるようになる。これにより、自動改札処理装置が利用者の属性情報を取得した際に、現在時刻を取得し、前記現在時刻が朝か昼か夜かに応じ、チラシ媒体に記録する宣伝広告情報を選択する。そして、自動改札処理装置は利用者に応じたチラシ媒体を提供することができる。
【００３９】
＜構成＞
【００４０】
図９は実施形態３の機能ブロックの図の一例である。実施形態３の自動改札処理装置０９００は、宣伝広告情報蓄積部０９０１と利用者属性情報取得部０９０２と宣伝広告情報選択部０９０３とチラシ媒体排出部０９０４とを有する。また、前記チラシ媒体排出部は排出手段０９０５を有してもよい。これらは従前の実施形態と同様の内容であるので説明を省略する。
【００４１】
そして、本実施形態の自動改札処理装置０９００は、現在時刻を取得する現在時刻取得部０９０６をさらに有し、前記宣伝広告情報選択部は、前記現在時刻取得部０９０６が取得した現在時刻に基づいて実施形態１に記載の選択をおこなう。「現在時刻」とは、利用者が自動改札を利用した時刻をいう。また、現在時刻は朝、昼、夜などの時刻の分類の情報でもよい。また、現在時刻は、平日、休日、祝日などのカレンダーの分類の情報でもよい。「取得」とは、前記現在時刻を自動改札処理装置の内外にある時計等から取得することをいう。「基づいて」とは、前記宣伝広告情報選択部が宣伝広告情報を選択する際に、現在時刻に応じて宣伝広告情報蓄積部の複数の宣伝広告情報から一の宣伝広告情報が選択されることをいう。
【００４２】
図１０は本実施形態の自動改札処理装置の実施の一例の図を示す。利用者属性情報取得部はある会社員が男性の３０歳であるという属性情報を取得する。そして、現在時刻取得部は平日の午前九時の朝であるという現在時刻を取得する。すると、宣伝広告情報選択部は、平日の朝の成人男性用に宣伝広告情報蓄積部に保持されている缶コーヒの宣伝広告情報を選択する。チラシ媒体排出部はチラシ媒体に選択された缶コーヒの宣伝広告情報をチラシ媒体に記録する。そして、手で持ち去りが可能なようにチラシ媒体を自動改札処理装置から排出する。
【００４３】
＜処理の流れ＞
【００４４】
図１１は本実施形態の自動改札処理装置のフロー図の一例である。本実施形態の自動改札処理装置は以下のステップを有してもよい。まず、チケットから利用者の属性情報を取得する（ステップＳ１１０１）。そして、現在時刻を取得する（ステップＳ１１０２）。そして、取得された利用者の属性情報と現在時刻とに基づいて宣伝広告情報を選択する（ステップＳ１１０３）。そして、選択された宣伝広告情報を取得する（ステップＳ１１０４）。そして、宣伝広告情報を記録した記録媒体であるチラシ媒体を利用者が手で取り持ち去りが可能なように排出する（ステップＳ１１０４）。
【００４５】
＜効果＞
【００４６】
本実施形態の自動改札処理装置を利用することで、利用者の行動時間に合ったチラシ媒体を利用者に提供することができる。
【００４７】
＜実施形態３以上＞
【００４８】
＜実施形態４＞
【００４９】
＜概要＞
【００５０】
実施形態４の自動改札処理装置は、実施形態２に記載の排出手段から排出されたチラシが前記利用者によって持ち去られたか持ち去られなかったか、を検知するチラシ持去検知部を有し、前記チラシ持去検知部でチラシが持去られなかったことが検知された場合に前記チラシを回収するチラシ回収部を有することを特徴とする。そして、本実施形態の自動改札処理装置を利用することで、利用者がチラシ媒体を持去らなかった際に、排出されたチラシ媒体を回収し、次の利用者に新たなチラシ媒体を提供することができる。たとえば、ある人が降車駅において自動改札処理装置を利用した際に、両手が荷物で塞がっていたために、チケットを挿入して出場すること以外の動作ができなく、自動改札処理装置より排出されたチラシ媒体を手に取らなかった。自動改札処理装置は利用者がチラシ媒体を持去らなかったことを検知し、チラシ媒体を自動改札処理装置内に回収した。そして、そのチラシ媒体は自動改札処理装置内に再度保持された。
【００５１】
＜構成＞
【００５２】
図１２は実施形態４の自動改札処理装置の機能ブロックの図の一例である。実施形態４の自動改札処理装置１２００は、宣伝広告情報蓄積部１２０１と利用者属性情報取得部１２０２と宣伝広告情報選択部１２０３とチラシ媒体排出部１２０４とを有する。また、前記チラシ媒体排出部は排出手段１２０５を有する。これらは従前の実施形態と同様の内容であるので説明を省略する。
【００５３】
そして、本実施形態の自動改札処理装置１２００は、実施形態２に記載の排出手段から排出されたチラシが前記利用者によって持ち去られたか持ち去られなかったかを検知するチラシ持去検知部１２０６を有し、前記チラシ持去検知部でチラシが持去られなかったことが検知された場合に前記チラシを回収するチラシ回収部１２０７を有する。「チラシ」とは、宣伝広告情報蓄積部に保持されているチラシ媒体であり、宣伝広告情報が予めチラシ媒体に印刷されているものである。「持ち去られたか持ち去られなかったかを検知」とは、チラシが自動改札処理装置から排出される際に、チラシの一部を排出手段が保持することでチラシを利用者が手で持ち去りが可能な状態で提供している際に、前記排出手段がチラシを保持しているか否かの情報をセンサなどを通じて取得することをいう。「回収」とは、自動改札処理装置の排出手段から排出され、前記排出手段に一部分を保持されているチラシを、前記排出手段から回収することをいう。
【００５４】
図１３は本実施形態の自動改札処理装置の実施の一例の図を示す。利用者属性情報取得部は属性情報を取得する。取得された属性情報は性別は男性で年齢は３０歳である。宣伝広告情報選択部は、宣伝広告情報蓄積部に保持されている２５歳から３４歳の男性のための缶コーヒの宣伝広告情報を選択する。そしてチラシ媒体排出部は選択された缶コーヒの宣伝広告情報をチラシ媒体に記録し自動改札処理装置から利用者の手で持ち去りが可能なように排出する。そして、チラシ持去検知部は、利用者が自動改札処理装置を通過した後にチラシ媒体がチラシ媒体排出部に保持されていることを検知する。そして、チラシ回収部はチラシ媒体排出部に保持されているチラシ媒体を回収する。また、回収されたチラシは後の利用者に選択されるために宣伝広告情報蓄積部に保持されてもよい。
【００５５】
＜処理の流れ＞
【００５６】
図１４は本実施形態の自動改札処理装置のフロー図の一例である。本実施形態の自動改札処理装置は以下のステップを有してもよい。まず、チケットから利用者の属性情報を取得する（ステップＳ１４０１）。そして、利用者の属性情報に基づいて宣伝広告情報を選択する（ステップＳ１４０２）。そして、選択された宣伝広告情報を取得する（ステップＳ１４０３）。そして、宣伝広告情報を記録した記録媒体であるチラシ媒体をチケットインターフェースよりも改札出口側に設けられている排出手段に利用者が手で取り持ち去りが可能なように排出する（ステップＳ１４０４）そして、。排出されたチラシが利用者に持去られたか否かを検知する（ステップＳ１４０５）。そして、チラシが持去られなかった際はチラシを回収する（ステップＳ１４０６）。
【００５７】
＜効果＞
【００５８】
本実施形態の自動改札処理装置を利用することで、自動改札処理装置は持去られなかったチラシを回収でき、無駄なチラシの発生を削減することができ、利用者毎にチラシを提供することができる。
【００５９】
＜実施形態４以上＞
【００６０】
＜実施形態５＞
【００６１】
＜概要＞
【００６２】
実施形態５の自動改札処理装置の実施形態４に記載のチラシ持去検知部は前記検知した結果を保持する検知結果保持手段と、前記検知した結果を通信回線を利用して送信する検知結果送信手段とを有することを特徴とする。そして、本実施形態の自動改札処理装置を利用することで、宣伝広告情報を提供するスポンサーなどは、自身の宣伝広告情報がどのような消費者に手にとってもらっているのかを知ることができ、自身の宣伝広告情報の効果を知ることができる。たとえば、自動改札処理装置が、始発から終電までの自動改札処理装置の利用者に関するチラシを持去ったか否かの可否の情報と持去ったチラシの種類の情報と持去った利用者の属性情報の一日分を保持しているとする。そして、これらの情報を遠隔地にある広告代理店のサーバなどに通信回線などを利用して送付する。これらの情報に基づいて、広告代理店の担当者は宣伝広告情報の効果などを算定することができる。そして、これらの情報を分析し、マーケティング情報として広告主などに提供することができる。
【００６３】
＜構成＞
【００６４】
図１５は実施形態５の自動改札処理装置の機能ブロックの一例の図である。実施形態５の自動改札処理装置１５００は、宣伝広告情報蓄積部１５０１と利用者属性情報取得部１５０２と宣伝広告情報選択部１５０３とチラシ媒体排出部１５０４とチラシ持去検知部１５０７とチラシ回収部１５０８とを有する。また、前記チラシ媒体排出部は排出手段１５０５を有する。これらは従前の実施形態と同様の内容であるので説明を省略する。
【００６５】
本実施形態の自動改札処理装置１５００の実施形態４に記載のチラシ持去検知部１５０７は前記検知した結果を保持する検知結果保持手段１５０９と、前記検知した結果を通信回線を利用して送信する検知結果送信手段１０１０とを有する。「検知した結果を保持」とは、自動改札処理装置の利用者がチラシ媒体を持去ったか否かの情報を自動改札処理装置がすぐに利用できるように保持することをいう。「通信回線を利用して送信」とは、自動改札処理装置から外部のサーバなどに前記検知した結果を情報として通信などを通じて送信することをいう。
【００６６】
図１６は本実施形態の自動改札処理装置の実施の一例の図を示す。自動改札処理装置のチラシ持去部の検知結果保持手段は、始発から終電までの自動改札処理装置の利用者に関するチラシを持去ったか否かの可否の情報と持去ったチラシの種類の情報と持去った利用者の属性情報の一日分を保持している。検知結果保持手段が保持している前記可否の情報とチラシの種類の情報と持去った利用者の属性情報の一日分を遠隔地にある広告代理店に設置してあるサーバに高速の通信回線を利用して無線で送信する。広告代理店の担当者は受信した前記可否の情報とチラシの種類の情報と持去った利用者の属性情報を分析することで、宣伝広告情報の効果を算定したり、その分析した結果をマーケティング情報として宣伝広告主に提供することができる。
【００６７】
＜処理の流れ＞
【００６８】
図１７は本実施形態の自動改札処理装置のフロー図の一例である。本実施形態の自動改札処理装置は以下のステップを有してもよい。まず、チケットから利用者の属性情報を取得する（ステップＳ１７０１）。そして、利用者の属性情報に基づいて宣伝広告情報を選択する（ステップＳ１７０２）。そして、選択された宣伝広告情報を取得する（ステップＳ１７０３）。そして、宣伝広告情報を記録した記録媒体であるチラシ媒体をチケットインターフェースよりも改札出口側に設けられている排出手段に利用者が手で取り持ち去りが可能なように排出する（ステップＳ１７０４）。そして、排出されたチラシが利用者に持去られたか否かを検知する（ステップＳ１７０５）。そして、チラシが持去られなかった際にはチラシを回収する（ステップＳ１７０６）。そして、検知した結果を保持する（ステップＳ１７０７）。そして、検知した結果を送信する（ステップＳ１７０８）。
【００６９】
＜効果＞
【００７０】
本実施形態の自動改札処理装置を利用することで、広告代理店などは前記検知結果を取得することができ、そして、前記検知結果を分析することで、どのような宣伝広告情報がどの属性の人に持去られるかなどの宣伝広告の効果の情報などを得ることができる。
【００７１】
＜実施形態５以上＞
【００７２】
＜実施形態６＞
【００７３】
＜概要＞
【００７４】
実施形態６の自動改札処理装置は、宣伝広告情報を印刷するための宣伝広告情報印刷部と、前記印刷のための用紙を保持する用紙保持部とを有し、前記宣伝広告情報印刷部は、前記宣伝広告情報選択部により選択された宣伝広告情報を印刷することを特徴とする。そして、本実施形態の自動改札処理装置を利用することで、多量の宣伝広告情報の中から利用者に応じた宣伝広告情報を選択し、選択した宣伝広告情報を用紙に印刷して利用者に提供することができる。たとえば、繁華街の駅に設置された自動改札処理装置である際には、付近の店舗の宣伝広告情報が数百件保持されている。そして、自動改札処理装置は駅を出場する利用者の属性情報や出場した日時及び時刻の情報を取得する。自動改札処理装置は、利用者の属性情報が男性の４０歳であり、平日の午後８時という時刻の情報を取得すると、数百件ある飲食店の宣伝広告情報の中から、中高年向けの居酒屋店舗のクーポン券の宣伝広告情報を選択し、その宣伝広告情報を用紙に印刷する。そして、自動改札処理装置は、利用者が手で持ち去りが可能なようにその用紙を排出する。利用者は丁度帰宅前に小腹が減ったところであったので、その居酒屋店舗のクーポン券の宣伝広告情報に興味を持ち手に取った。
【００７５】
＜構成＞
【００７６】
図１８は実施形態６の自動改札処理装置の機能ブロックの図の一例である。実施形態６の自動改札処理装置１８００は、宣伝広告情報蓄積部１８０１と利用者属性情報取得部１８０２と宣伝広告情報選択部１８０３とチラシ媒体排出部１８０４とを有する。また、チラシ持去検知部１８０７とチラシ回収部１８０８とを有してもよい。また、前記チラシ媒体排出部１８０４は排出手段１８０５を有してもよい。また、前記チラシ持去検知部１８０７は検知結果保持手段１８０９と検知結果送信手段１８１０を有してもよい。これらは従前の実施形態と同様の内容であるので説明を省略する。
【００７７】
本実施形態の自動改札処理装置１８００は、宣伝広告情報を印刷するための宣伝広告情報印刷部１８１１と、前記印刷のための用紙を保持する用紙保持部１８１２とを有し、前記宣伝広告情報印刷部１８１１は、前記宣伝広告情報選択部１８０３により選択された宣伝広告情報を印刷する。「印刷」とは、前記宣伝広告情報選択部により選択された宣伝広告情報を自動改札処理装置が印刷することをいう。たとえば、インクジェット方式やレーザ方式やサーマルプリンタ方式や磁気方式などで宣伝広告情報を用紙に印刷してもよい。「用紙」とは、前記宣伝広告情報印刷部が宣伝広告情報を印刷するための用紙である。前記用紙は白紙の用紙であってもよいし、用紙の一部分に宣伝広告情報が予め印刷されている用紙であってもよい。「保持」とは、自動改札処理装置が宣伝広告情報を印刷するための用紙を自動改札処理装置の内外に保持していることをいう。
【００７８】
図１９は本実施形態の自動改札処理装置の実施の一例の図を示す。利用者属性情報取得部は、性別が男性で年齢が４０歳であるという属性情報を取得する。そして、現在時刻取得部は平日の午後９時という情報を取得する。そして、宣伝広告情報選択部は、平日の夜の時間帯に成人男性に提供するために宣伝広告情報蓄積部に保持されている居酒屋のクーポン券の宣伝広告情報を選択する。そして、宣伝広告情報印刷部は前記宣伝広告情報を取得し、用紙保持部から用紙を１枚取得して、前記宣伝広告情報を印刷する。チラシ媒体排出部は前記宣伝広告情報が印刷された用紙をある人が手で持ち去りが可能なように排出する。利用者は、クーポン券を使って、安く飲食をすることができ、クーポン券を発行した店もクーポン券を利用するお客さんが来たため宣伝広告情報の効果を実感することができた。
【００７９】
＜処理の流れ＞
【００８０】
図２０は本実施形態の自動改札処理装置のフロー図の一例である。本実施形態の自動改札処理装置は以下のステップを有してもよい。まず、チケットから利用者の属性情報を取得する（ステップＳ２００１）。そして、利用者の属性情報に基づいて宣伝広告情報を選択する（ステップＳ２００２）。そして、選択された宣伝広告情報を取得する（ステップＳ２００３）。そして、用紙を取得する（ステップＳ２００４）。選択された宣伝広告情報を用紙に印刷する（ステップＳ２００５）。そして、宣伝広告情報が印刷された用紙であるチラシ媒体を利用者が手で取り持ち去りが可能なように排出する（ステップＳ２００６）。
【００８１】
＜効果＞
【００８２】
本実施形態の自動改札処理装置を利用することで、多量の宣伝広告情報の中から利用者が興味を持ちやすい宣伝広告情報を提供することができる。
【００８３】
＜実施形態６以上＞
【００８４】
＜実施形態７＞
【００８５】
＜概要＞
【００８６】
実施形態７の自動改札処理装置は、検札のために読み取られるチケットを挿入するチケット挿入口と、前記チケット挿入口から挿入されたチケットを排出するチケット排出口と、をさらに有し、実施形態２に記載の排出手段は、前記チケット排出口と兼用されており、前記排出口から排出されるチラシは、前記チケット排出口から排出されるチケットと重なって排出されることを特徴とする。そして、本実施形態の自動改札処理装置を利用することで、利用者はチケットを持去る際に、必ず一緒にチラシを持去るようになる。たとえば、地下鉄の改札口に設置された自動改札処理装置である際に、地下鉄の鉄道会社は自社の路線が延伸したことを地下鉄の利用者に周知させたいとする。であるので、路線が延伸したことを宣伝広告情報として、実施形態４に記載のチラシに印刷して、利用者に配布しようと考えた。従来は、駅中のポスタや棚置きのチラシなどによる公報活動しかしていなかったが、周知状況が芳しくなかった。であるため、駅の利用者全ての人に周知できる本実施形態の自動改札処理装置を利用することにした。そして、地下鉄の延伸のお知らせの宣伝広告情報を印刷したチラシを、利用者が駅へ入場するために自動改札処理を利用し、自動改札処理装置により改札されたチケットを手に取る際に、チケットと重なって前記チラシを自動改札処理装置から排出する。利用者はチケットと前記チラシの双方を手に取らないと駅へ入場することができない。そのため、駅へ入場した全ての人は地下鉄延伸のお知らせが印刷されたチラシを手に取ることになる。地下鉄の鉄道会社は、確実に利用者に自社のお知らせを周知することができた。
【００８７】
＜構成＞
【００８８】
図２１は実施形態７の自動改札処理装置の機能ブロックの図の一例である。実施形態７の自動改札処理装置２１００は、宣伝広告情報蓄積部２１０１と利用者属性情報取得部２１０２と宣伝広告情報選択部２１０３とチラシ媒体排出部２１０４とを有する。また、チラシ持去検知部２１０６とチラシ回収部２１０７とを有してもよい。また、前記チラシ媒体排出部２１０４は排出手段２１０５を有してもよい。また、前記チラシ持去検知部２１０６は検知結果保持手段２１０８と検知結果送信手段２１０９を有してもよい。これらは従前の実施形態と同様の内容であるので説明を省略する。
【００８９】
そして、本実施形態の自動改札処理装置２１００は、検札のために読み取られるチケットを挿入するチケット挿入口２１１０と、前記チケット挿入口から挿入されたチケットを排出するチケット排出口２１１１と、をさらに有し、実施形態２に記載の排出手段２１０５は、前記チケット排出口２１１１と兼用されており、前記排出手段２１０５から排出されるチラシは、前記チケット排出口２１１１から排出されるチケットと重なって排出される。「検札」とは、利用者が正規の乗車券や定期券などを購入しているかを確認することをいう。「挿入」とは、前記チケット挿入口にチケットを改札のために挿入することをいう。「排出」とは、前記排出口から検札が済んだチケットを排出することをいう。「兼用」とは、自動改札処理装置に設けられた実施形態２に記載の排出手段と前記チケット排出口とが一つの口で構成されており、チケットとチラシの双方が排出される構成になっていることをいう。「重なって」とは、チケット排出口から排出されるチケットと合わさるようにチラシが前記排出手段と兼用されている前記チケット排出口から排出されることをいう。そして、自動改札処理装置は、利用者が見える側にチケットを排出し、利用者が見えない側にチケットと重ね合わされたチラシを排出してもよい。
【００９０】
図２２は本実施形態の自動改札処理装置２２００の実施の一例の図を示す。ある人が駅へ入場する際にチケット２２０１を自動改札処理装置２２００のチケット挿入口２２０２へ挿入する。すると自動改札処理装置２２００は利用者の属性情報を取得する。そして、宣伝広告情報選択部は、利用者の属性情報を取得すると、利用者全員に配布するために宣伝広告情報蓄積部に保持されている地下鉄の鉄道会社からの路線の延伸のお知らせの宣伝広告情報を選択する。そして、チラシ媒体排出部は選択された前記宣伝広告情報であるチラシをチケットと合わせて前記排出手段２２０４と兼用されているチケット排出口２２０３を通じて排出する。その際に自動改札処理装置は利用者がチラシとチケットの双方２２０５を手で持ち去りが可能なように排出する。利用者は駅へ入場するためには、チケットを手に取る必要があるため、同時に、必ずチラシを手に取ることになる。宣伝広告情報の提供者である地下鉄の鉄道会社は駅の利用者すべてに地下鉄延伸のお知らせをチラシを通じて周知させることができる。
【００９１】
＜処理の流れ＞
【００９２】
図２３は本実施形態の自動改札処理装置のフロー図の一例である。本実施形態の自動改札処理装置は以下のステップを有してもよい。まず、チケットから利用者の属性情報を取得する（ステップＳ２３０１）。そして、利用者の属性情報に基づいて宣伝広告情報を選択する（ステップＳ２３０２）。そして、選択した宣伝広告情報を取得する（ステップＳ２３０３）。そして、宣伝広告情報を記録した記録媒体であるチラシ媒体をチケット排出口と兼用されている排出手段に利用者が手で取り持ち去りが可能なようにチケットと重ねて排出する（ステップＳ２３０４）。
【００９３】
＜効果＞
【００９４】
本実施形態の自動改札処理装置を利用することで、利用者はチケットと共に必ず宣伝広告情報が記載されたチラシを手に取ることになる。
【００９５】
＜実施形態７以上＞
【００９６】
＜実施形態８＞
【００９７】
＜概要＞
【００９８】
実施形態８の自動改札処理装置は、宣伝広告情報を取得する宣伝広告情報取得部をさらに有し、前記宣伝広告情報取得部で取得された宣伝広告情報は、前記宣伝広告情報蓄積部に蓄積されることを特徴とする。そして、本実施形態の自動改札処理装置を利用することで、多様な宣伝広告情報を自動改札処理装置に保持することができる。たとえば、宣伝広告情報のスポンサーは、デジタル情報形式の宣伝広告情報と、予め宣伝広告情報が印刷されたチラシ形式の宣伝広告情報と、チラシ付クーポン形式の宣伝広告情報と、チラシ付ティッシュ形式の宣伝広告情報と、チラシ付試供品形式の宣伝広告情報とを自動改札処理装置に保持させることができる。そして、利用者の属性情報に応じて、利用者に提供する宣伝広告情報を選択することができる。
【００９９】
＜構成＞
【０１００】
図２４は実施形態８の自動改札処理装置２４００の機能ブロックの図の一例である。実施形態８の自動改札処理装置２４００は、宣伝広告情報蓄積部２４０１と利用者属性情報取得部２４０２と宣伝広告情報選択部２４０３とチラシ媒体排出部２４０４を有する。また、チラシ持去検知部２４０７とチラシ回収部２４０８と宣伝広告情報印刷部２４１１と用紙保持部２４１２を有してもよい。また、前記チラシ媒体排出部２４０４は排出手段２４０５を有してもよい。また、前記チラシ持去検知部２４０７は検知結果保持手段２４０９と検知結果送信手段２４１０を有してもよい。これらは従前の実施形態と同様の内容であるので説明を省略する。
【０１０１】
本実施形態の自動改札処理装置２４００は、宣伝広告情報を取得する宣伝広告情報取得部２４１５をさらに有し、前記宣伝広告情報取得部２４１５で取得された宣伝広告情報は、前記宣伝広告情報蓄積部２４０１に蓄積される。「取得」とは、自動改札処理装置の宣伝広告情報取得部が多様な形式の宣伝広告情報を取得することをいう。たとえば、取得される多様な宣伝広告情報は、デジタルデータであってもよいし、紙媒体であってもよいし、物品であってもよい。「蓄積」とは、宣伝広告情報取得部で取得された宣伝広告情報を自動改札処理装置の内側又は外側に保持することをいう。
【０１０２】
図２５は本実施形態の自動改札処理装置の実施の一例の図を示す。デジタルデータ形式の宣伝広告情報は宣伝広告情報取得部に備えられたＵＳＢ（Ｕｎｉｖｅｒｓａｌ  Ｓｅｒｉａｌ  Ｂｕｓ）などから取得され、宣伝広告情報蓄積部に保持される（図Ｈ中１）。また、紙のチラシや紙のクーポン券やチラシ付のティッシュや試供品などの宣伝広告情報は宣伝広告情報取得部に設けられた投入口などを通じて宣伝広告情報蓄積部に保持させる（図Ｈ中２）。
【０１０３】
＜処理の流れ＞
【０１０４】
図２６は本実施形態の自動改札処理装置のフロー図の一例である。本実施形態の自動改札処理装置は以下のステップを有してもよい。まず、宣伝広告情報を取得する（ステップＳ２６０１）。そして、チケットから利用者の属性情報を取得する（ステップＳ２６０２）。そして、利用者の属性情報に基づいて宣伝広告情報を多様な形式の中から選択する（ステップＳ２６０３）。そして、選択した宣伝広告情報を取得する（ステップＳ２６０４）。そして、選択された宣伝広告情報を利用者が手で取り持ち去りが可能なように排出する（ステップＳ２６０５）。
【０１０５】
＜効果＞
【０１０６】
本実施形態の自動改札処理装置を利用することで、利用者に多様な形式の宣伝広告情報を提供することができる。
【０１０７】
＜実施形態８以上＞
【０１０８】
＜実施形態９＞
【０１０９】
＜概要＞
【０１１０】
実施形態９の自動改札処理装置は、利用者をあて先とした電子メールを取得する電子メール取得部を有し、前記利用者属性情報取得部で取得される利用者属性情報には、利用者の識別情報である利用者識別情報が含まれ、その利用者識別情報と、前記電子メール取得部が取得した利用者の識別情報であるメールあて先利用者識別情報とが一致した場合には、前記宣伝広告情報印刷部は、前記チラシ媒体に前記電子メールを印刷することを特徴とする。そして、本実施形態の自動改札処理装置を利用することで、利用者は通勤時間中などに自身のメイルを読むことができる。これにより、利用者は会社に到着後すぐに仕事を始めることができる。たとえば、ある会社員は、通勤のために電車に乗る時間が１時間以上かかっていた。本実施形態をの自動改札処理装置を利用したある会社員は、自身に届いた電子メールをチラシ媒体通じて閲覧することができた。そうすることで、会社に着いてメイルを見る時間を節約することができ、本来の仕事にすぐ着手することができた。
【０１１１】
＜構成＞
【０１１２】
図２７は実施形態９の自動改札処理装置２７００の機能ブロックの図の一例である。実施形態９の自動改札処理装置２７００は、宣伝広告情報蓄積部２７０１と利用者属性情報取得部２７０２と宣伝広告情報選択部２７０３とチラシ媒体排出部２７０４を有することを特徴とする。また、チラシ持去検知部２７０７とチラシ回収部２７０８と宣伝広告情報印刷部２７１１と用紙保持部２７１２を有してもよい。また、前記チラシ媒体排出部２７０４は排出手段２７０５を有してもよい。また、前記チラシ持去検知部２７０７は検知結果保持手段２７０９と検知結果送信手段２７１０を有してもよい。これらは従前の実施形態と同様の内容であるので説明を省略する。
【０１１３】
そして、本実施形態の自動改札処理装置２７００は、利用者をあて先とした電子メールを取得する電子メール取得部２７１３を有し、前記利用者属性情報取得部で取得される利用者属性情報には、利用者の識別情報である利用者識別情報が含まれ、その利用者識別情報と、前記電子メール取得部が取得した利用者の識別情報であるメールあて先利用者識別情報とが一致した場合には、前記宣伝広告情報印刷部２７１３は、前記チラシ媒体に前記電子メールを印刷する。「電子メール」とは、自動改札処理装置を利用する人あてに届いたデジタル形式の情報であり、利用者に通知したい内容が記載された情報である。「取得」とは、自動改札処理装置が遠隔にあるメールサーバから前記電子メールを通信回線などを利用して取得することをいう。「利用者識別情報」とは、前記利用者属性情報取得部で取得された利用者の属性情報に含まれる利用者を識別するための情報であり、たとえば、利用者の電子メールのあて先アドレスやメールサーバアドレスや利用者のＩＤ番号や氏名や住所や年齢や生年月日などである。そして、前記利用者を識別するための情報は暗号化されていてもよい。「メールあて先利用者識別情報」とは、前記電子メール取得部が取得した電子メールが保持している利用者を識別するための情報であり、たとえば、利用者の電子メールのあて先アドレスや利用者のＩＤ番号や氏名や住所や年齢や生年月日などである。そして、前記利用者を識別するための情報は暗号化されていてもよい。「一致」とは、前記利用者識別情報と前記メールあて先利用者識別情報とが合致することをいう。たとえば、利用者識別情報とメールあて先利用者識別情報との双方において、氏名や住所や年齢や生年月日の利用者の識別するための情報の全てが合致することである。「印刷」とは、前記宣伝広告情報印刷部が、前記チラシ媒体の白紙の箇所に利用者あての電子メールを印刷することをいう。そして、印刷する方式としては、たとえば、レーザプリンタ方式やインクジェットプリンタ方式やサーマルプリンタ方式や磁気方式などがある。
【０１１４】
図２８は本実施形態の自動改札処理装置の実施の一例の図を示す。自動改札処理装置は利用者属性情報を取得する。取得された利用者属性情報には利用者識別情報である会社員のＩＤ番号や電子メールアドレスやメールサーバアドレスが含まれている。電子メール取得部は、取得された利用者識別情報である電子メールアドレスとメールサーバのアドレスを基に、通信回線を利用して遠隔地のメールサーバにアクセスする。そして、電子メール取得部は、メールサーバからある会社員のメールあて先利用者識別情報を取得する。電子メール取得部は、前記メールあて先利用者識別情報のＩＤ番号と利用者識別情報のＩＤ番号とが一致するか判定する。そして、一致すると判定した際には、電子メール取得部はメールサーバからある会社員の電子メールアドレス宛の電子メールを取得する。そして、宣伝広告情報印刷部は取得した電子メールを用紙保持部から取得した用紙の白紙の箇所に印刷する。チラシ媒体排出部は手で持ち去りが可能なように排出されたチラシ媒体を排出する。チラシ媒体を手に取らないと自動改札処理装置を利用者が通過できないようになっていてもよい。
【０１１５】
＜処理の流れ＞
【０１１６】
図２９は本実施形態の自動改札処理装置のフロー図の一例である。本実施形態の自動改札処理装置は以下のステップを有してもよい。まず、チケットから利用者の属性情報を取得する（ステップＳ２９０１）。そして、利用者の属性情報から利用者の識別情報を取得する（ステップＳ２９０２）。そして、利用者の識別情報とメールあて先利用者識別情報とが一致した際には、電子メールを取得する（ステップＳ２９０３）。そして、利用者の属性情報に基づいて宣伝広告情報を選択する（ステップＳ２９０４）。そして、選択された宣伝広告情報を取得する（ステップＳ２９０５）。そして、用紙を取得する（ステップＳ２９０６）。そして、選択された宣伝広告情報と取得したメールとを用紙に印刷する（ステップＳ２９０７）。そして、宣伝広告情報とメールが印刷された用紙であるチラシ媒体を利用者が手で取り持ち去りが可能なように排出する（ステップＳ２９０８）。
【０１１７】
＜効果＞
【０１１８】
本実施形態の自動改札処理装置を利用することで、利用者は通勤時間などに電子メールを閲覧することができることで、会社に出社するとすぐに仕事を始められ、仕事の効率を向上させることができる。
【０１１９】
＜実施形態９以上＞
【０１２０】
＜実施形態１０＞
【０１２１】
＜概要＞
【０１２２】
実施形態の１０の自動改札処理装置における、実施形態１に記載の利用者の属性情報は利用者の入出場駅の情報、途中下車駅の情報、運賃の情報、有効期限の情報、入出場の時間の情報、途中下車の時間の情報、発券時間の情報、発券場所の情報、利用する交通手段の便の情報、前記交通手段の便の座席の情報、利用者の性別の情報、利用者の年齢の情報、利用者の身体の情報、利用者の趣向に関する情報、のいずれか一以上であることを特徴とする。たとえば、チケットに利用者の身体の情報の属性の情報が記録されており、身体の情報の属性が車椅子利用である際には、自動改札処理装置は駅員などに車椅子の利用者が駅の構内に入場したことなど知らせてもよい。
【０１２３】
＜構成＞
【０１２４】
実施形態１０の自動改札処理装置は、宣伝広告情報蓄積部と利用者属性情報取得部と宣伝広告情報選択部とチラシ媒体排出部を有することを特徴とする。また、チラシ持去検知部とチラシ回収部と宣伝広告情報印刷部と用紙保持部と宣伝広告情報取得部と電子メール取得部とを有してもよい。また、前記チラシ媒体排出部は排出手段を有してもよい。また、前記チラシ持去検知部は検知結果保持手段と検知結果送信手段を有してもよい。これらは従前の実施形態と同様の内容であるので説明を省略する。
【０１２５】
本実施形態の自動改札処理装置のおける前記利用者の属性情報が、利用者の入出場駅の情報、途中下車駅の情報、運賃の情報、有効期限の情報、入出場の時間の情報、途中下車の時間の情報、発券時間の情報、発券場所の情報、利用する交通手段の便の情報、前記交通手段の便の座席の情報、利用者の性別の情報、利用者の年齢の情報、利用者の身体の情報、利用者の趣向に関する情報のいずれか一以上である。たとえば、車椅子を利用したある人が駅を入場する際に自動改札処理装置を通過する。すると、利用者属性情報取得部が、利用者の身体の情報の実施形態１に記載の属性情報を取得する。そして、車椅子を利用している利用者が駅へ入場している旨の情報を実施形態５に記載の検知結果送信手段などを通じて駅の駅員に通知する。そして、駅員はその利用者がエスカレータを利用できるように手配したりする。
【０１２６】
＜処理の流れ＞
【０１２７】
本実施形態の処理の流れの図は、利用者属性情報を除いて基本的に、実施形態１の処理の流れの図である図４と同じ内容であるので説明を省略する。
【０１２８】
＜効果＞
【０１２９】
本実施形態の自動改札処理装置を用いることで、利用者属性情報取得部は多様な情報を取得することができ、利用者に多様なサービスを提供することができる。
【０１３０】
＜実施形態１０以上＞
【０１３１】
尚、本発明の自動改札処理装置は、上述の図示例にのみ限定されるものではなく、本発明の要旨を逸脱しない範囲内において種々変更を加え得ることは勿論である。
【０１３２】
【発明の効果】
以上、説明したように本発明の請求項１〜１０記載の自動改札処理装置によれば、利用者属性に応じた宣伝広告情報を従来より簡便に確実に提供することができるという優れた効果を奏し得る。
【０１３３】
【図面の簡単な説明】
【図１】実施形態１の概念の一例を示す図
【図２】実施形態１の機能ブロックの一例を示す図
【図３】実施形態１の実施の一例を示す図
【図４】実施形態１のフローの一例を示す図
【図５】実施形態２の機能ブロックの一例を示す図
【図６】実施形態２の実施の一例を示す図
【図７】実施形態２の実施の一例を示す図
【図８】実施形態２のフローの一例を示す図
【図９】実施形態３の機能ブロックの一例を示す図
【図１０】実施形態３の実施の一例を示す図
【図１１】実施形態３のフローの一例を示す図
【図１２】実施形態４の機能ブロックの一例を示す図
【図１３】実施形態４の実施の一例を示す図
【図１４】実施形態４のフローの一例を示す図
【図１５】実施形態５の機能ブロックの一例を示す図
【図１６】実施形態５の実施の一例を示す図
【図１７】実施形態５のフローの一例を示す図
【図１８】実施形態６の機能ブロックの一例を示す図
【図１９】実施形態６の実施の一例を示す図
【図２０】実施形態６のフローの一例を示す図
【図２１】実施形態７の機能ブロックの一例を示す図
【図２２】実施形態７の実施の一例を示す図
【図２３】実施形態７のフローの一例を示す図
【図２４】実施形態８の機能ブロックの一例を示す図
【図２５】実施形態８の実施の一例を示す図
【図２６】実施形態８のフローの一例を示す図
【図２７】実施形態９の機能ブロックの一例を示す図
【図２８】実施形態９の実施の一例を示す図
【図２９】実施形態９のフローの一例を示す図
【符号の説明】
０２００  自動改札処理装置
０２０１  宣伝広告情報蓄積部
０２０２  利用者属性情報取得部
０２０３  宣伝広告情報選択部
０２０４  チラシ媒体排出部
【図１】
2004318310.tif 000003
【図２】
2004318310.tif 000004
【図３】
2004318310.tif 000005
【図４】
2004318310.tif 000006
【図５】
2004318310.tif 000007
【図６】
2004318310.tif 000008
【図７】
2004318310.tif 000009
【図８】
2004318310.tif 000010
【図９】
2004318310.tif 000011
【図１０】
2004318310.tif 000012
【図１１】
2004318310.tif 000013
【図１２】
2004318310.tif 000014
【図１３】
2004318310.tif 000015
【図１４】
2004318310.tif 000016
【図１５】
2004318310.tif 000017
【図１６】
2004318310.tif 000018
【図１７】
2004318310.tif 000019
【図１８】
2004318310.tif 000020
【図１９】
2004318310.tif 000021
【図２０】
2004318310.tif 000022
【図２１】
2004318310.tif 000023
【図２２】
2004318310.tif 000024
【図２３】
2004318310.tif 000025
【図２４】
2004318310.tif 000026
【図２５】
2004318310.tif 000027
【図２６】
2004318310.tif 000028
【図２７】
2004318310.tif 000029
【図２８】
2004318310.tif 000030
【図２９】
2004318310.tif 000031